(57)【要約】      （修正有）【課題】作業者の身体前面で携帯可能とする工具等の携帯用器具を提供する。【解決手段】携帯用器具は、ベルト装着部と吊下部とで構成され、ベルト装着部を、左右側杆１，２と、左右側杆を連結する上下杆３，４と、上下杆の中間部分に設けた中央杆５からなる日の字状で所定位置に第一差込間隙を設け、吊下部が、前記下方杆の下方適宜距離隔てた位置の吊下杆６と、吊下杆を側杆と連結する連結側杆７と、連結側杆と対向する位置で吊下杆から屈曲し、且つベルト装着部との間に第二差込間隙ｂを設けた抜け止め側杆８からなる上方開口コの字状に設け、フルハーネスのベルトｄ１に、前記携帯用器具を装着し、吊下杆６に工具差しＥのベルト通し部ｅ１を吊下げ装着する。【選択図】図３
0003196640.tif 000002
【実用新案登録請求の範囲】
【請求項１】
ベルト装着部と吊下部とで構成され、前記ベルト装着部が、左右側杆と、左右側杆を連結する上下杆と、上下杆の中間部分に設けた中央杆とを備えると共に、中央杆端部位置で非連続とした第一差込間隙を有する日の字状に設けられ、吊下部が、前記下方杆の下方適宜距離隔てた位置の吊下杆と、前記吊下杆を側杆と連結する連結側杆と、連結側杆と対向する位置で吊下杆から屈曲し、且つベルト装着部の何れかの杆との間に第二差込間隙を設けた抜け止め側杆とを備えて上方開口コの字状に設けられてなることを特徴とする工具等の携帯用器具。
【請求項２】
左右側杆及び上下杆を備えた第一矩形枠部材と、中央杆、吊下杆、連結側杆及び抜け止め側杆を備えると共に、中央杆と抜け止め側杆の間を不連続とした第二枠部材とを、中央杆が所定位置となるように重ね合わせ、一方の側杆と連結側杆の重ね合わせ箇所を溶着して形成してなる請求須１記載の工具等の携帯用器具。
【考案の詳細な説明】
【技術分野】
【０００１】
本考案は、作業者が種々の手工具等を携帯するために作業者が装着するハーネスに取り付ける工具等の携帯用器具に関するものである。
【背景技術】
【０００２】
作業者が種々の手工具等を携帯する手段として、腰ベルト（安全ベルト）に装着した工具保持具が知られている。例えば特許文献１（特開平９−２６７２７５号公報）には、ベルト挿通孔を備えたベルト装着部に、工具吊下用カラビナを縦配置で突出させて設けた器具が開示されている。また特許文献２（特開２０１３−２３７１４２号公報）には、同様にベルト装着部に、工具吊下用カラビナを横配置とした器具が開示されている。
【０００３】
また特許文献３（特開２００３−３１１６５９号公報）に示すように携帯用工具に適する形状とした工具保持部を備えた器具も知られており、ベルト装着部に特に工具保持部を備えずに、工具保持部を装着する連結部を設けている器具も知られている（特許文献４：登録実用新案３１９４４４４号公報）。
【０００４】
更に作業者の前面で工具を保持する器具としては、布状生地からなる支持面体に身体装着バンドを設けると共に、支持面体に多数の工具収納用袋部を設けたものが知られている（特許文献５：登録実用新案３１５９５４７号公報）。
【先行技術文献】
【特許文献】
【０００５】
【特許文献１】特開平９−２６７２７５号公報。
【特許文献２】特開２０１３−２３７１４２号公報。
【特許文献３】特開２００３−３１１６５９号公報。
【特許文献４】登録実用新案３１９４４４４号公報。
【特許文献５】登録実用新案３１５９５４７号公報。
【考案の概要】
【考案が解決しようとする課題】
【０００６】
前記した従前の工具携帯用の器具は、腰ベルトに装着するもので、一般的には身体の背面側に装着して使用される。このため、携帯用器具からの工具取出し及びその収納は、体を捩じっての身体背面側で行われることになる。このため工具の取出・収納作業が煩雑であり、工具を落下させてしまう危険性もある。
【０００７】
また特許文献５に示すように身体前面での工具携帯用器具からの工具の取出・収納作業は、安全に且つ確実に行うことができるが、身体への装着の煩雑さや、製造コストの点で問題がある。
【０００８】
そこで本発明は、簡単な構造で、身体前面で工具を携帯を実現できる新規な工具等の携帯用器具を提案したものである。
【課題を解決するための手段】
【０００９】
本考案の請求項１記載に係る工具等の携帯用器具は、ベルト装着部と吊下部とで構成され、前記ベルト装着部が、左右側杆と、左右側杆を連結する上下杆と、上下杆の中間部分に設けた中央杆とを備えて備えると共に、中央杆端部位置で非連続として第一差込間隙を有する日の字状に設けられ、吊下部が、前記下方杆の下方適宜距離隔てた位置の吊下杆と、前記吊下杆を側杆と連結する連結側杆と、連結側杆と対向する位置で吊下杆から屈曲し、且つベルト装着部の何れかの杆との間に側杆との間に第二差込間隙を設けた抜け止め側杆とを備えて上方開口コの字状に設けられてなることを特徴とする。
【００１０】
前記の携帯用器具は、高所作業者が身体に装着するフルハーネスと称されている安全帯の胸位置にあたるベルトに取り付けるものである。即ち第一差込間隙からベルトを差し込み、ベルト装着部の中央杆を跨ぐようにベルトに対して横方向から装着する。本器具を当該位置に動かないように取り付けた後、ベルト装着部の何れかの杆と間に形成している第二差込間隙から適宜な工具収納部材（例えば工具差し）の吊下部（通常のベルト通し部）を差し入れて、前記吊下部を吊下杆に装着して、工具収納部材を装備するものである。
【００１１】
従って工具収納部材が身体前面に配されることになり、当該工具収納部材に所望の工具を納めて携帯できるものである。
【００１２】
また本考案の請求項２記載に係る工具等の携帯用器具は、特に前記の携帯用器具において、左右側杆及び上下杆を備えた第一矩形枠部材と、中央杆、吊下杆、連結側杆及び抜け止め側杆を備えると共に、中央杆と抜け止め杆の間を不連続とした第二枠部材とを、中央杆が所定位置となるように重ね合わせ、一方の側杆と連結側杆の重ね合わせ箇所を溶着して形成したものである。
【００１３】
従って金属枠体を組み合わせ溶接で第一差込間隙も第二差込間隙も同時に形成されて、本考案器具を容易に製造できるものである。
【考案の効果】
【００１４】
本考案の構成は前記のとおりで、簡単な工具で身体前面での工具携帯を可能としたものである。
【図面の簡単な説明】
【００１５】
【図１】本考案の実施形態の全体斜視図。
【図２】同使用状態の説明図（ベルト装着時）。
【図３】同図（工具差装着時）。
【図４】同図（工具携帯時）。
【図５】同第二実施形態の説明図。
【考案を実施するための形態】
【００１６】
次に本考案の実施形態について説明する。実施形態に示した器具は、金属棒体で形成した第一枠部材Ａと第二枠部材Ｂを組み合わせ、所定位置を溶接して形成するものである。
【００１７】
第一矩形枠部材Ａは、横長の矩形枠で、左右側杆１，２及び上下杆３，４を備えたもので、全体が連続したロ状である。
【００１８】
第二矩形枠部材Ｂは、前記第一矩形枠部材Ａと同様に横長矩形であるが、横幅は一致させ、縦幅をやや大きくしたもので、上方の中央杆５、下方の吊下杆６、右側の連結側杆７及び左側の抜け止め側杆８を備えるが、特に中央杆５と抜け止め側杆８の間を、適宜な間隔を有するように不連続としたものである。
【００１９】
前記の第一矩形枠部材Ａと第二矩形枠部材を重ね合わせ、中央杆５を上下杆３，４の上下中間に位置させ、右側杆２と連結側杆７の重なり箇所を溶接すると、左右側杆１，２と、中央杆５で構成される日の字状のベルト装着部が構成される共に、左側杆１と中央杆５の端部との間に第一差込間隙ａが形成される。
【００２０】
更に右側杆２から下方に突出した連結側杆７と、前記下方杆４の下方適宜距離隔てて位置する吊下杆６と、左側杆１との間に第二差込間隙ｂが形成された抜け止め側杆８とで上方開口コの字状の吊下部が構成される。
【００２１】
而して前記工具は、図４に示すような高所作業者Ｃが身体に装着するフルハーネスと称されている安全帯Ｄの胸位置にあたるベルトｄ１に取り付けるものである。その装着は、第一差込間隙ａからベルトを差し込み、ベルトｄ１が中央杆５を跨ぐようにさせて、ベルトｄ１の所定位置に固定するものである。これによって吊下杆６がベルトｄ１の前面で且つ器具の下方である位置に取り付けられる。
【００２２】
前記のベルトｄ１に本器具を固定すると、次に工具差し（工具収納部材）Ｅを吊下げ装着するものである。工具差しＥは、一般に市販されているもので上部にベルト通し部ｅ１を設け、下方に袋状の工具収納部ｅ２を備えたもので、前記のベルト通し部ｅ１を第二間隙ｂから差し入れ、ベルト通し部ｅ１を吊下杆６に装着するものである。
【００２３】
これによって工具差しＥが作業者Ｃの身体前面に配されることになり、当該工具差しＥに所望の工具を差し入れて携帯するものである。
【００２４】
また本考案は、前記の実施形態のように、第一枠部材Ａと第二枠部材Ｂの組み合わせ溶着で形成するものに限定されるものではなく、図５に示すように、線材を連続するように溶接して形成しても良く（表示番号は第一実施形態と対応する）、また金属板のプレス加工による１枚もので形成しても良い。勿論第一差込間隙ａは、中央杆の端部が側杆と不連続であれば良いので、側杆部分の当該箇所を不連続として、中央杆端部が側杆位置まで突出させて第一差込間隙を形成するようにしても良い。更に工具収納部材は前記の工具差しＥに限定されるものでは無く、その他の工具を携帯できる別部材を吊下杆に装着するようにしても良い。
【符号の説明】
【００２５】
１    左側杆
２    右側杆
３    上方杆
４    下方杆
５    中央杆
６    吊下杆
７    連結側杆
８    抜け止め側杆
ａ    第一差込間隙
ｂ    第二差込間隙
【図１】
0003196640.tif 000003
【図２】
0003196640.tif 000004
【図３】
0003196640.tif 000005
【図４】
0003196640.tif 000006
【図５】
0003196640.tif 000007